(57)【要約】【課題】エプロンを分離したりすることなく、必要な部分だけの開閉が自由であり、これにより迅速な授乳を可能とし、さらに、授乳後にはすぐにもとの状態に簡単に復元できる授乳用エプロンを提供する。【解決手段】胸当て付き授乳用エプロンであって、胸当て部の上部に、エプロン自体又は胸当て部とエプロン本体とを分離可能とする接続部材設けてなり、好適には、該接続部材は、エプロン自体を分離する横方向のファスナーから構成され、該ファスナーには、ファスナーから取り外しが困難な２つのスライダーが設けられており、或いは好適には、両肩紐を胸当て部の裏面で交叉させ、胸当て部の下方においてエプロン本体と接続すると共に、胸当て部の上部と肩紐との間に該接続部材を設けてなることを特徴とする。【選択図】　図１
2004076228.tif 000002
【特許請求の範囲】
【請求項１】
胸当て部を有する授乳用エプロンであって、胸当て部の上部に、エプロン自体又は胸当て部とエプロン本体とを分離可能とする接続部材を設けてなることを特徴とする授乳用エプロン。
【請求項２】
請求項１に記載の授乳用エプロンにおいて、該接続部材は、ボタン、スナップ、面ファスナーまたはファスナーのいずれかで構成されることを特徴とする授乳用エプロン。
【請求項３】
請求項１または２に記載の授乳用エプロンにおいて、該接続部材は、エプロン自体を分離する横方向のファスナーから構成され、該ファスナーには、ファスナーから取り外しが困難な２つのスライダーが設けられていることを特徴とする授乳用エプロン。
【請求項４】
請求項１または２に記載の授乳用エプロンにおいて、両肩紐を胸当て部の裏面側で交叉させ、胸当て部の下方においてエプロン本体と接続すると共に、胸当て部の上部と肩紐との間に接続部材を設けてなることを特徴とする授乳用エプロン。
【発明の詳細な説明】
【０００１】
【発明の属する技術分野】
本発明は、授乳用エプロンに関し、特に詳しくは、胸当て部を有するエプロンにおいて、着脱の手間を省き、迅速な授乳を可能とし、また授乳後にはすぐにもとの状態に復元できる授乳用エプロンに関する。
【０００２】
【従来の技術】
従来のエプロン、特に胸当て部を有するエプロンは、胸当て部と腹部とが一体となっており、乳児へ授乳をする際には、エプロンを脱ぐか、または紐をほどいたり、ボタンをはずしたりしなければならず、着脱に手間がかかっていた。
【０００３】
このような問題を解決するため、実開平６−３０１１３号公報には、エプロンの胸当て部と腹部とが分離可能なセパレート・エプロンが開示されている。
かかるエプロンは、エプロンの胸当て部と腹部との縫い合わせ部にファスナーを付けることにより、ウェストラインで上下に切り離すことができるというものである。
また、登録新案第３０４１６０号には、エプロンをウェストラインで切り離し、上下に分かれたエプロンとすることによって、授乳をしやすくするという構造のエプロンが開示されている。
【０００４】
しかし、このような従来の授乳用エプロンは、ウェストライン（胸当て部と腹部との間）で上下に切り離すことができるというものであるため、ウェストラインで切り離しても、授乳する際には、エプロンの胸当て部を、捲ったり、片方に寄せたりしなければならず、さらに、このように捲ったり、片方に寄せたりした胸当て部を、授乳の際に邪魔にならないように、例えば、脇に挟んだり、顎ではさんだりして授乳の妨げにならないように工夫をしなければならず、煩雑である。しかも、エプロンの胸当て部の保持が充分でないと、乳児の顔にエプロンの胸当て部が被さり、乳児の表情を母親が観察できず、満足した授乳姿勢を保つことが困難となっていた。
【０００５】
さらに、従来の授乳用エプロンは、上下に完全に分離できるものであるため、分離された際には、またもとのエプロン状態に復元するのに、手間と時間がかかるという問題がある。
しかも、エプロンを上下に完全に分離するため、エプロンの腹部（ウエストラインより下部）を腰紐により保持することが必要であり、結果として、産後のデリケートな母親の腹を、必要以上に締め付ける結果となり、健康上、好ましい構成とはいえなかった。
【０００６】
また、実開平６−３０１１３号公報には、胸当て部の中央に上下方向のファスナーを取り付け、胸当て部を左右に分離する構造が提案されているが、エプロンの胸当て部の一部が肩紐に固定されているため、通常、肩紐とエプロンの胸当て部との接続位置は母親の乳房の略上方に位置しているため、乳房の位置でエプロンの胸当て部が充分に開かず、胸当て部の開口部を左右の乳房の位置にずらして利用するなど、煩雑な構成となっていた。しかも、胸当て部が左右に開くため、授乳する側の乳房だけでなく、他方の乳房まで外部に露出することとなり、利用者にとって、大変に、利用しにくいものとなっていた。
【０００７】
【発明が解決しようとする課題】
従って、本発明の目的は、上記従来の問題を解決し、着脱の手間を省き、エプロンを分離することなく、必要な部分だけの開閉が自由であり、これにより迅速な授乳を可能とする授乳用エプロンを提供することである。
また、本発明の目的は、エプロンが分離することがないため、分離部分を再びエプロンとして復元する手間が省け、授乳後にはすぐにもとの状態に簡単に復元できる授乳用エプロンを提供することである。
さらにまた、エプロンの腹部を保持する際に、必要以上に母親の腹を圧迫することのない授乳用エプロンを提供することである。
【０００８】
【課題を解決するための手段】
請求項１記載の授乳用エプロンは、胸当て部を有する授乳用エプロンであって、胸当て部の上部に、エプロン自体又は胸当て部とエプロン本体とを分離可能とする接続部材を設けてなることを特徴とする。
また、請求項２に記載の授乳用エプロンは、請求項１に記載の授乳用エプロンにおいて、該接続部材は、ボタン、スナップ、面ファスナーまたはファスナーのいずれかで構成されることを特徴とする。
【０００９】
更に、請求項３に記載の授乳用エプロンは、請求項１または２に記載の授乳用エプロンにおいて、該接続部材は、エプロン自体を分離する横方向のファスナーから構成され、該ファスナーには、ファスナーから取り外しが困難な２つのスライダーが設けられていることを特徴とする。
【００１０】
また、請求項４に記載の授乳用エプロンは、請求項１または２に記載の授乳用エプロンにおいて、両肩紐を胸当て部の裏面側で交叉させ、胸当て部の下方においてエプロン本体と接続すると共に、胸当て部の上部と肩紐との間に該接続部材を設けてなることを特徴とする。
【００１１】
【発明の実施の形態】
本発明を好適例を用いて以下に説明するが、これらに限定されるものではない。
図１は、本発明である授乳用エプロンの第１の実施例を示す。
授乳用エプロン１の本体は、母親等の授乳する利用者の体を被覆する面として、胸当て部である胸当て部１１と腹部１２とを有する。胸当て部１１と腹部１２とは一体的に形成され、装着においては、肩紐７により、利用者の体に適応して固定される。
肩紐７については、図示していないが、利用者の背中側において、肩紐７を互いに交叉させ、さらに、後側に回した腹部１２の両端に固定する方法や、肩紐７を交叉させずに略平行に背中側に回し、後側に回した腹部１２に固定すると共に、２つの肩紐７を背中側でＨ状に接続する方法、また単に、肩紐７を首の後ろ側で結ぶ方法など、当該分野で周知の技術を利用して固定することが可能である。
【００１２】
本実施例では、腹部１２を横方向に長めに取り腹部に巻きつけるようにして、腹部１２の両端を腰部の後ろ側で、ボタン等を利用して固定するものであるが、エプロン１に更に腰紐を設けて、当該腰紐を通常のように腰部の後ろ側で結び、肩紐と腰紐とにより、利用者の体に装着、固定することも可能である。
いずれの場合でも、産後のデリケートな母親の腹に負担をかけないように、利用者の腹部を圧迫しないような方法で固定する。
本発明の場合は、腰紐等を設けるか否かに拘らず、エプロンの腹部１２がゆったりしていても、当該腹部１２は、常に、胸当て部１１により上方に持ち上げられているため、腹部がずり下がるという危惧はない。
【００１３】
本発明の特徴として、エプロンの胸当て部１１は、該胸当て部の上部において、エプロン自体を上下に分離可能な接続部材が設けられている。接続部材としては、ボタン、スナップ、面ファスナー又はファスナーなどの種々の接続部材が利用できるが、図１では、ファスナー２を利用した例を説明している。
胸当て部１１を形成する布地は、胸当て部の上部において、上下に分割されており、分割した布地を接続するためのファスナー２が設けられている。ファスナー２は、上下に分割された各布地の端部に設けられたファスナーの務歯部３と、該務歯部３を接合・離間させるための２つのスライダー４から構成される。また、スライダーがファスナーから取り外されることが無いように、ファスナーの移動を制限する止め具５が両端に形成されている。
【００１４】
図１の授乳用エプロンの利用方法を図２（ａ）、（ｂ）に示す。図２（ａ）は、左側にあるスライダーを右方向にずらして、エプロンの胸当て部の左側を開放した図である。また、図２（ｂ）は、右側にあるスライダーを左方向にずらして、エプロンの胸当て部の右側を開放した図である。
このように、授乳する乳房に対応するエプロンの胸当て部を開放することにより、容易に授乳の体制を作ることが可能となる。しかも、開放された胸当て部の布地は、自重により下方に垂れ下がるだけで、特に、保持するための動作が必要ない。しかも、開放された胸当て部の布地が乳児の顔に被さることも無いため、母親は子供の様子を観察しながら安心して授乳をすることができる。
【００１５】
第１の実施例においては、ファスナーのスライダー４は、ファスナーから取り出すことが不可能であるため、常に、肩紐７に接続された胸当て部１１の上側と、腹部１３に接続された胸当て部１１の下側とは、ファスナーを通じて接続状態に保持されているため、エプロンの腹部を保持するために、腰紐などで強く絞めつける必要が無く、利用者の腹を圧迫するなどの弊害を除去することが可能となる。
また、このように胸当て部１１の上側と下側が完全に分離することがないため、分離部分を再びエプロンとして復元する手間が省け、ファスナーのスライダー４を引くだけで、授乳後にはすぐにもとの状態に簡単に復元できる。
【００１６】
図３は、本発明の授乳用エプロンに係る第２の実施例を示した図である。
図３の授乳用エプロンは、両肩紐７を胸当て部である胸当て部１１の裏面側で交叉させ、胸当て部１１の下方において、エプロン本体の一部を構成する腹部１２、特に、胸当て部１１と腹部１２との間のウエストライン付近に、肩紐の先端２０を固定する。
肩紐７が胸当て部１１の上部と交叉する位置には、接続部材２１が設けられ、肩紐７に対して、胸当て部１１が着脱自在に構成されている。接続部材２１としては、ボタン、スナップ、または面ファスナーなど種々の接続部材を用いることができる。
本実施例においては、エプロン１は、胸当て部１１と腹部１２とが一体的に形成され、装着においては、肩紐７と腰紐１３とにより、利用者の体に適応して固定される。
【００１７】
図４（ａ）、（ｂ）に示すように、授乳に際しては、授乳する乳房側の接続部材２１を解除し、胸当て部１１を自重により垂れ下げるだけで、乳房に対応するエプロンの胸当て部を容易に開放し、授乳の体制を作ることが可能となる。
しかも、接続部材２１を解除して、胸当て部１１を肩紐７から外しても、肩紐７は、エプロン本体のウエストライン付近に固定されているため、肩紐が肩から外れたり、エプロン本体が体からずり落ちるなどの不具合も無い。
【００１８】
また、胸当て部１１の裏面で交叉している肩紐７は、交叉点を両乳房の間に位置するように配置することにより、授乳の際に肩紐が邪魔となるような問題も解消することができる。しかも、交叉点近傍においては、肩紐７を乳房やその谷間の形状に合わせて、例えば、紐の幅を細く形成するなど、より体に適合する形状に変更することも可能である。
【００１９】
本発明の第２の実施例においても、第１の実施例と同様に、肩紐７や腰紐１３に関して、当該技術分野において種々の周知技術を適用することができることは言うまでもない。また、本発明の第２の実施例においては、腰紐１３が設定されている場合を例示したが、上記第１の実施例と同様に、腰紐を用設けなくてもよい。
更に、エプロンの本体を形成する布地は、綿やウール等の天然繊維、ナイロンやポリエステル等の化学繊維など種々の材料が利用できるだけでなく、着色可能などのデザイン性や、家事による汚れに対する耐汚染性、また乳児等の肌に優しい性質を付与するため、当該技術分野で周知の種々の材料を利用することもできる。
【００２０】
【発明の効果】
以上、説明したように、本発明の授乳用エプロンによれば、エプロンを分離したり、脱いだりする必要なく、授乳時に必要とされる部分のみの開閉が容易で、迅速な授乳を可能とすることができる。
また、更に、授乳時に必要とされる部分のみの開閉が自由であるため、エプロンが分離されることがなく、授乳後には、エプロンを簡単に元の状態に迅速に復元することができるという効果も有する。
さらに、エプロンの腹部を保持する際に、必要以上に母親の腹を圧迫することのないなど、従来の授乳用エプロンに無い、格別な利便性を有する授乳用エプロンを提供することが可能となった。
【図面の簡単な説明】
【図１】本発明の第１の実施例の授乳用エプロンを示す概略図
【図２】本発明の第１の実施例の授乳用エプロンの右胸当て部を開いた状態（ａ）、及び左胸当て部を開いた状態（ｂ）を示す線図
【図３】本発明の第２の実施例の授乳用エプロンを示す概略図
【図４】本発明の第２の実施例の授乳用エプロンの右胸当て部を開いた状態（ａ）、及び左胸当て部を開いた状態（ｂ）を示す線図
【符号の説明】
１　　授乳用エプロン
２　　ファスナー
３　　ファスナーの務歯部
４　　ファスナーのスライダー
５　　ファスナーの止め具
７　　肩紐
１１　エプロンの胸当て部
１２　エプロンの腹部
１３　腰紐
２１　ボタン
【図１】
2004076228.tif 000003
【図２】
2004076228.tif 000004
【図３】
2004076228.tif 000005
【図４】
2004076228.tif 000006